(57)【要約】【課題】頭髪を効率的に乾燥することが可能な吸水機能を備えるヘヤーブラシ及びヘヤーブラシ付ドライヤを提供する。【解決手段】水を毛管吸引可能な孔１０を有するブリッスル２からなるブラシ部３と、該ブリッスル２を支持するブラシ台４と、該ブラシ台４と接続する柄７とを備える。ブリッスル２は、水を毛管吸引可能な微細な孔１０を有するので毛管現象により水分を吸上げることができる。これにより、濡れた頭髪に付着する水分を頭皮側からも吸水することが可能となり、素早く濡れた頭髪を乾燥させることができる。【選択図】図１
2007151771.tif 000002
【特許請求の範囲】
【請求項１】
水を毛管吸引可能な孔を有するブリッスルからなるブラシ部と、
該ブラシ部を支持するブラシ台と、
該ブラシ台と接続する柄と、
を備えることを特徴とするヘヤーブラシ。
【請求項２】
細い針状体を多数束ね形成した水を毛管吸引可能な孔を有するブリッスルからなるブラシ部と、
該ブラシ部を支持するブラシ台と、
該ブラシ台と接続する柄と、
を備えることを特徴とするヘヤーブラシ。
【請求項３】
前記ブラシ台は、水を毛管吸引可能な孔を有し、該ブラシ台の孔は、一端を前記ブリッスルの孔と連通し、他端を大気に接することを特徴とする請求項１又は２に記載のヘヤーブラシ。
【請求項４】
前記柄は、水を毛管吸引可能な孔を有し、該柄の孔は、一端を前記ブラシ台の孔と連通し、他端を大気に接することを特徴とする請求項３に記載のヘヤーブラシ。
【請求項５】
前記ブラシ台の孔の大きさは、前記ブリッスルの孔の大きさと比較して略同一か又は大きいことを特徴とする請求項３又は４に記載のヘヤーブラシ。
【請求項６】
前記柄の孔の大きさは、前記ブラシ台の孔の大きさに比較して略同一か又は大きいことを特徴とする請求項４又は５に記載のヘヤーブラシ。
【請求項７】
少なくとも前記ブリッスルの孔の表面は、親水性を有することを特徴とする請求項１から６のいずれか１に記載のヘヤーブラシ。
【請求項８】
少なくとも前記ブラシ台の孔の表面及び前記柄の孔の表面は、水との親和性が小さいことを特徴とする請求項３から７のいずれか１に記載のヘヤーブラシ。
【請求項９】
前記ブラシ台は、前記ブラシ部を支持する面と対向する面の一部に凹部を有し、前記ブラシ台の孔は、該凹部と連通することを特徴とする請求項３から８のいずれか１に記載のヘヤーブラシ。
【請求項１０】
前記ブラシ台は、水を毛管吸引可能な孔を有するフィンを備え、該フィンの孔は、一端を前記ブラシ台の孔と連結し、他方を大気に接することを特徴とする請求項３から９のいずれか１に記載のヘヤーブラシ。
【請求項１１】
前記ブラシ台は、前記ブラシ部を支持する面と対向する面とを貫通する貫通孔を備え、前記ブラシ台の孔は、該貫通孔と連通することを特徴とする請求項３から１０のいずれか１に記載のヘヤーブラシ。
【請求項１２】
前記ブラシ台は、前記ブラシ部を支持する面と対向する面の一部に凹部を有し、前記ブラシ台の孔は、該凹部と連通し、該凹部には着脱可能な吸水性を有する部材が嵌入されていることを特徴とする請求項３から１１のいずれか１に記載のヘヤーブラシ。
【請求項１３】
前記柄は、前記柄の一部に凹部を有し、前記柄の孔は、該凹部と連通し、該凹部には着脱可能な吸水性を有する部材が嵌入されていることを特徴とする請求項４から１２のいずれか１に記載のヘヤーブラシ。
【請求項１４】
水を毛管吸引可能な孔を有するブリッスルからなるブラシ部と、
該ブリッスルの孔と連通する水を毛管吸引可能な孔を有する該ブラシ部を支持するブラシ台と、
少なくとも温風を送風可能なヘヤードライヤと、
該ヘヤードライヤと該ブラシ台とを接続するアタッチメントと、
を含み、
該ブラシ台は、さらに内部に空気を流通可能な流路と、該ブラシ部を支持する面と該流路を貫通する貫通孔と、を備え、該ブラシ台の孔は、該流路及び／又は該貫通孔と連通することを特徴とするヘヤーブラシ付ドライヤ。
【発明の詳細な説明】
【技術分野】
【０００１】
本発明は、ヘヤーブラシ及びヘヤーブラシ付ドライヤに関し、特に濡れた頭髪、毛を効率的に乾燥可能な機能を備えるヘヤーブラシ及びヘヤーブラシ付ドライヤに関する。
【背景技術】
【０００２】
ヘヤーブラシは、整髪に使用されることは周知のところであるが、整髪機能のみならず他の機能を付加したヘヤーブラシも開発されている。他の機能を備えるヘヤーブラシの一例を示せば、ヘヤーブラシの刷毛の如く頭髪と直接接触して頭髪を整えるべき軸体を、合成樹脂に遠赤外線放射資材の粉末を混入した複合樹脂によって形成したヘヤーブラシがある（例えば特許文献１参照）。特許文献１に記載の技術は、遠赤外線の人体の血行及び新陳代謝を促進する機能を利用し、脱毛を防ごうとするものである。さらに遠赤外線作用により、頭髪に付着したパーマネント用処理剤等の異臭を緩和するとする。
【０００３】
また、ヘヤーブラシは、濡れた頭髪を乾かす際にもよく利用される。この場合は、ヘヤードライヤと併用されることが多い。ヘヤーブラシを使用し頭髪を動かすことで、頭皮近くまでヘヤードライヤから排出される風を行き渡らせることが可能となり、乾燥を促進させることができる。さらに濡れた頭髪を乾かすに便利なブラシ付ヘヤードライヤも開発されている（例えば特許文献２参照）。
【特許文献１】実開平１−１５１７２７号公報
【特許文献２】特開平０８−１５４７２７号公報
【発明の開示】
【発明が解決しようとする課題】
【０００４】
ヘヤーブラシを用いて、濡れた頭髪を乾燥させる場合、又はブラシ付ヘヤードライヤを用いて頭髪を乾かす場合は、ブラシを使用することで、頭皮の近くまでヘヤードライヤから排出される風を行き渡らせることが可能となるが、ヘヤードライヤからの風は、頭皮とは反対側から吹き付けられるため、頭皮の側の頭髪は乾燥しにくい。特に頭髪が長い場合、あるいは頭髪が多い場合はより乾燥しにくい。濡れた頭髪を頭皮側からも乾燥させることができれば、より早く頭髪を乾燥させることができる。これは人間の頭髪に限らず、犬、猫など動物の毛を乾燥させる場合も同じである。
【０００５】
本発明の目的は、濡れた頭髪、毛を効率的に乾燥することが可能な吸水機能を備えるヘヤーブラシ及びヘヤーブラシ付ドライヤを提供することである。
【課題を解決するための手段】
【０００６】
本発明は、水を毛管吸引可能な孔を有するブリッスルからなるブラシ部と、
該ブラシ部を支持するブラシ台と、
該ブラシ台と接続する柄と、
を備えることを特徴とするヘヤーブラシである。
【０００７】
また本発明は、細い針状体を多数束ね形成した水を毛管吸引可能な孔を有するブリッスルからなるブラシ部と、
該ブラシ部を支持するブラシ台と、
該ブラシ台と接続する柄と、
を備えることを特徴とするヘヤーブラシである。
【０００８】
また本発明で、前記ブラシ台は、水を毛管吸引可能な孔を有し、該ブラシ台の孔は、一端を前記ブリッスルの孔と連通し、他端を大気に接することを特徴とする請求項１又は２に記載のヘヤーブラシである。
【０００９】
また本発明で、前記柄は、水を毛管吸引可能な孔を有し、該柄の孔は、一端を前記ブラシ台の孔と連通し、他端を大気に接することを特徴とする請求項３に記載のヘヤーブラシである。
【００１０】
また本発明で、前記ブラシ台の孔の大きさは、前記ブリッスルの孔の大きさと比較して略同一か又は大きいことを特徴とする請求項３又は４に記載のヘヤーブラシである。
【００１１】
また本発明で、前記柄の孔の大きさは、前記ブラシ台の孔の大きさに比較して略同一か又は大きいことを特徴とする請求項４又は５に記載のヘヤーブラシである。
【００１２】
また本発明で、少なくとも前記ブリッスルの孔の表面は、親水性を有することを特徴とする請求項１から６のいずれか１に記載のヘヤーブラシである。
【００１３】
また本発明で、少なくとも前記ブラシ台の孔の表面及び前記柄の孔の表面は、水との親和性が小さいことを特徴とする請求項３から７のいずれか１に記載のヘヤーブラシである。
【００１４】
また本発明で、前記ブラシ台は、前記ブラシ部を支持する面と対向する面の一部に凹部を有し、前記ブラシ台の孔は、該凹部と連通することを特徴とする請求項３から８のいずれか１に記載のヘヤーブラシである。
【００１５】
また本発明で、前記ブラシ台は、水を毛管吸引可能な孔を有するフィンを備え、該フィンの孔は、一端を前記ブラシ台の孔と連結し、他方を大気に接することを特徴とする請求項３から９のいずれか１に記載のヘヤーブラシである。
【００１６】
また本発明で、前記ブラシ台は、前記ブラシ部を支持する面と対向する面とを貫通する貫通孔を備え、前記ブラシ台の孔は、該貫通孔と連通することを特徴とする請求項３から１０のいずれか１に記載のヘヤーブラシである。
【００１７】
また本発明で、前記ブラシ台は、前記ブラシ部を支持する面と対向する面の一部に凹部を有し、前記ブラシ台の孔は、該凹部と連通し、該凹部には着脱可能な吸水性を有する部材が嵌入されていることを特徴とする請求項３から１１のいずれか１に記載のヘヤーブラシである。
【００１８】
また本発明で、前記柄は、前記柄の一部に凹部を有し、前記柄の孔は、該凹部と連通し、該凹部には着脱可能な吸水性を有する部材が嵌入されていることを特徴とする請求項４から１２のいずれか１に記載のヘヤーブラシである。
【００１９】
また本発明は、水を毛管吸引可能な孔を有するブリッスルからなるブラシ部と、
該ブリッスルの孔と連通する水を毛管吸引可能な孔を有する該ブラシ部を支持するブラシ台と、
少なくとも温風を送風可能なヘヤードライヤと、
該ヘヤードライヤと該ブラシ台とを接続するアタッチメントと、
を含み、
該ブラシ台は、さらに内部に空気を流通可能な流路と、該ブラシ部を支持する面と該流路を貫通する貫通孔と、を備え、該ブラシ台の孔は、該流路及び／又は該貫通孔と連通することを特徴とするヘヤーブラシ付ドライヤである。
【発明の効果】
【００２０】
本発明のヘヤーブラシは、水を毛管吸引可能な微細な孔を有するブリッスルからなるブラシ部を備えるので、ブリッスルが濡れた頭髪に接触すると、孔の毛管吸引力により頭髪の水分を吸取る。ブリッスルの先端は、頭皮まで届くので、頭髪に付着する水分を頭皮側からも吸水することが可能となり、効率的に頭髪を乾燥させることができる。さらに頭髪に付着する水分を、毛管吸引力を利用して吸水するので、ブラシ部を乾燥させることで繰り返し使用することができる。
【００２１】
また本発明のヘヤーブラシは、細い針状体を多数束ね水を毛管吸引可能な孔を形成したブリッスルからなるブラシ部を備えるので、ブリッスルが濡れた頭髪に接触すると、孔の毛管吸引力により頭髪の水分を吸取る。ブリッスルの先端は、頭皮まで届くので、頭髪に付着する水分を頭皮側からも吸水することが可能となり、効率的に頭髪を乾燥させることができる。さらに頭髪に付着する水分を、毛管吸引力を利用して吸水するので、ブラシ部を乾燥させることで繰り返し使用することができる。
【００２２】
また本発明によれば、ブラシ台は、水を毛管吸引可能な孔を有し、ブラシ台の孔は、一端をブリッスルの孔と連通するので、ブラシ部で吸取った頭髪の水分を、ブラシ台に移動させることが可能となり、より多くの水分を吸水することが可能となる。また、ブラシ台の孔の他端は、大気と接するので、このヘヤーブラシをヘヤードライヤと併用すると、ヘヤードライヤの熱でブラシ台が暖められ、ブラシ台の孔に蓄えられる水分が蒸発する。これによりブラシ部からブラシ台へ水分が順次運ばれ、頭髪に付着する水分を多量に吸取り、頭髪を素早く乾燥させることができる。ヘヤーブラシで頭髪をブラッシングしているときは、ブリッスルは、頭髪の中にあるので、ヘヤードライヤを併用する際、ブリッスルの温度はブラシ台の温度に比較して低い。このためブリッスルからの水分の蒸発は、ブラシ台に比較して少なく、効率的に頭髪を乾燥させることができる。
【００２３】
また本発明によれば、柄は、水を毛管吸引可能な孔を有し、柄の孔は、一端をブラシ台の孔と連通するので、ブリッスルで吸取られた水分は、最終的には柄に移動させることが可能となり、より多くの水分を吸水することができる。また、柄の孔の他端は、大気と接するので、人の手を介して柄に熱が加わると、柄の微細な孔に蓄えられた水分が蒸発する。これにより、濡れた頭髪から素早く又多くの水分を吸水することができる。
【００２４】
また本発明によれば、ブラシ台の孔の大きさは、ブリッスルの孔の大きさに比較して略同一か又は大きいので、ブラシ台の孔に蓄えられた水分は、ブリッスルに比較して蒸発しやすい。このためブリッスルで吸取られた水分は、ブラシ台から蒸発するため、本発明のヘヤーブラシで、髪に付着した水分を連続的に吸取ることができる。
【００２５】
また本発明によれば、柄の孔の大きさは、ブラシ台の孔の大きさに比較して略同一か又は大きいので、柄の孔に蓄えられた水分は、ブラシ台に比較して水分が蒸発しやすい。このためブリッスルで吸取られた水分は、柄から蒸発するため、本発明のヘヤーブラシで、髪に付着した水分を連続的に吸取ることができる。
【００２６】
また本発明によれば、少なくともブリッスルの孔の表面は、親水性を有するので毛管吸引力が大きく働き、頭髪に付着する水分を高い位置まで吸上げることができる。これにより、ブリッスルで吸上げた水分をブラシ台に容易に移動させることができる。
【００２７】
また本発明によれば、少なくともブラシ台の孔の表面及び柄の孔の表面は、水との親和性が小さいので、これら孔に蓄えられた水分は蒸発しやすい。これにより、ブリッスルで吸取った水分をブラシ台及び／又は柄から効率的に蒸発させることができる。
【００２８】
また本発明によれば、ブラシ台は、ブラシ部を支持する面と対向する面の一部に凹部を有し、ブラシ台の孔は、凹部と連通するので、本発明のヘヤーブラシとヘヤードライヤとを併用すると、ヘヤードライヤの熱が凹部に当たりやすく、ブラシ台の孔に蓄えられた水分を効率的に蒸発させることができる。これにより、ブリッスルを介して頭髪に付着する水分を、より多く吸取ることが可能となる。
【００２９】
また本発明によれば、ブラシ台は、水を毛管吸引可能な孔を有するフィンを備え、フィンの孔は、一端をブラシ台の孔と連結し、他方を大気に接するのでブラシ台の表面積が大きくなり、ブラシ台の孔に蓄えられた水分の蒸発速度を大きくすることができる。これにより、ブリッスルを介して頭髪に付着する水分を、より多く吸取ることが可能となる。
【００３０】
また本発明によれば、ブラシ台は、ブラシ部を支持する面と対向する面とを貫通する貫通孔を備え、ブラシ台の孔は、貫通孔と連通するので、本発明のヘヤーブラシとヘヤードライヤとを併用すると、ヘヤードライヤの熱がブラシ台全体に伝わりやすく、ブラシ台の孔に蓄えられた水分を効率的に蒸発させることができる。これにより、ブリッスルを介して頭髪に付着する水分を、より多く吸取ることが可能となる。
【００３１】
また、本発明によれば、ブラシ台は、ブラシ部を支持する面と対向する面の一部に凹部を有し、ブラシ台の孔は、凹部と連通し、凹部には着脱可能な吸水性を有する部材が嵌入されているので、ブリッスルが吸取る水分を吸水性の部材に吸水させることで、より多くの水分を吸水することが可能となる。また、吸水性の部材は、凹部に着脱可能に嵌入されるので、吸水性を有する部材を取替えながら使用することで、さらに多くの水分を吸水することができる。
【００３２】
また、本発明によれば、柄は、柄の一部に凹部を有し、柄の孔は、凹部と連通し、凹部には着脱可能な吸水性を有する部材が嵌入されているので、ブリッスルが吸取る水分を吸水性の部材に吸水させることで、より多くの水分を吸水することが可能となる。また、吸水性の部材は、凹部に着脱可能に嵌入されるので、吸水性を有する部材を取替えながら使用することで、さらに多くの水分を吸水することができる。
【００３３】
また本発明のヘヤーブラシ付ドライヤは、水を毛管吸引可能な孔を有するブリッスルからなるブラシ部と、ブリッスルの孔と連通する水を毛管吸引可能な孔を有するブラシ部を支持するブラシ台と、少なくとも温風を送風可能なヘヤードライヤと、ヘヤードライヤとブラシ台とを接続するアタッチメントと、を含み、ブラシ台は、さらに内部に空気を流通可能な流路と、ブラシ部を支持する面と流路を貫通する貫通孔と、を備え、ブラシ台の孔は、流路及び／又は貫通孔と連通するので、このヘヤーブラシ付ドライヤを用いて効率的に頭髪に付着する水分を乾燥させることができる。ブラシ台を通じて、ヘヤードライヤからの温風を頭髪に送風すると、頭髪に付着する水分は、温風で蒸発する。またブリッスルを介して吸取られた水分は、ブラシ台の孔に移動するが、ブラシ台の貫通孔から頭髪に温風を送るとブラシ台も同時に加熱されるので、ブラシ台の孔の水分が簡単に蒸発する。これにより、ブリッスルを介して連続的に頭髪から水分を吸取ることが可能となり、頭髪を素早く乾燥させることができる。
【発明を実施するための最良の形態】
【００３４】
図１は、本発明の第一実施形態としてのヘヤーブラシ１の側面図である。また図２、図３は、図１中のヘヤーブラシの一部を拡大して示した部分断面図である。また、図４は、図１のヘヤーブラシの変形例であって、ブリッスル２の一部を拡大して示した部分断面図である。なお、図２、図３及び図４は、ヘヤーブラシ１のメカニズムを説明するための図であり、必ずしも同一縮尺で描かれているわけではない。このヘヤーブラシ１は、毛管現象を利用して濡れた頭髪に付着する水分を吸取り、頭髪を素早く乾燥させるヘヤーブラシである。ヘヤーブラシ１は、ブリッスル２と呼ばれる毛又は植設ピンを備えるブラシ部３を有し、このブラシ部３はブラシ台４に固着支持されている。ブラシ台４は一端を柄７と接続する。
【００３５】
ブリッスル２は、吸水可能な微細な孔１０を有する。この孔１０に水が接触すると、毛管現象により、水を吸上げることができる。本発明は、この孔１０を利用して濡れた頭髪に付着する水分を吸取ろうとするため、この孔１０は、水分をより多く、またより早く吸取ることが可能なものであることが好ましい。よって、ブリッスル２が有する孔１０の数は、多いことが好ましい。孔１０の大きさは、特に限定されないけれども、ブリッスル２の先端部１１で吸水された水分をブラシ台４まで吸上げることが可能な大きさであることが好ましい。
【００３６】
周知のように、液体の自由表面に細い管を立てたときの、管の直径ｄと細い管を上昇する水柱の高さｈとの間には、式（１）で示す関係が成立する。また、空気中でガラス管を水中に立てると、式（２）が成立する（中山泰喜、流体の力学、養賢堂、１９８２）。
【００３７】
【数１】
2007151771.tif 000003
【００３８】
【数２】
2007151771.tif 000004
【００３９】
式（１）、式（２）から分かるように、管の直径ｄが小さいほど水を吸上げる高さは高くなる。よってブリッスル２の高さを考慮し、ブリッスル２の根元１２まで水分を吸上げることが可能な孔１０の大きさとすれば、より多くの水分をブリッスル２に取り込むことができる。また、後述のようにブリッスル２が吸水した水分をブラシ台４まで移動させ、ブラシ台４でこの水分を蒸発させるような場合は、水分をブラシ台４まで吸上げることが可能な孔の大きさであることが必要である。
【００４０】
以上にような孔１０を有するブリッスル２は、合成樹脂を常法により発泡させ形成することができる。また活性炭、シリカゲルなど多孔質材料を合成樹脂に混練して形成することもできる。さらに図４に示すように微細な毛など針形状の部材１３を束ね、ブリッスル２を形成することでも吸水可能なブリッスル２を形成することができる。ブリッスル２の孔１０を形成する壁面１４と水との接触角θは、式（１）からもわかるように水分を吸上げる高さを決定する大きな因子であり、接触角θが小さいほど、水の吸上げ高さは高くなる。この接触角θは、水との親和性、濡れ性が高いほど小さいので、ブリッスル２を濡れ性のよい材料で形成するか、表面（孔の壁面１４）に親水性材料をコーティングすることが好ましい。酸化チタンは、超親水性を示すので、これを合成樹脂に混合するか、表面にコーティングしてもよい。なお、孔１０を形成することでブリッスル２に必要な強度が得られないときは、必要に応じて芯金を利用してもよい。
【００４１】
ブラシ台４は、従来のヘヤーブラシと同様に、ブラシ部３を固着支持する他、ブリッスル２の孔１０と連通する毛管吸引可能な孔２０を有し、ブリッスル２が吸上げた水分をブラシ台４まで移動させ、ブラシ台４の孔２０に貯留する。さらにブラシ台４の孔２０は、一端２１がブラシ台４の表面５、６に位置し、大気と接する。ブラシ台４の孔２０とブリッスル２の孔１０を連通させることで、孔１０と孔２０は、一つの細管と同じように働き、ブリッスル２の先端で吸水された水分をブラシ台４まで吸い上げることができる。ブラシ台４の孔２０は、ブリッスル２が吸上げる水分を十分に貯留可能なものであることが望ましいので、孔２０の数は多い方がよい。これにより、本実施形態に示すヘヤーブラシ１は、ブリッスル２を介して、多くの水分を吸水することができる。
【００４２】
ブリッスル２を介して吸水する水分が多くないときは、ブリッスル２及びブラシ台４の孔１０、２０に水分を貯留することで対処できる。しかしながらより多くの水分を連続的に吸水しようとするときは、ブラシ台４の孔２０に貯留された水分を除去する必要がある。ブラシ台４の水分を除去することで、ブリッスル２を介して新たな水分をブラシ台４に移動させることが可能となる。本実施形態に示すヘヤーブラシ１のブラシ台４の孔２０は、一端２１を大気と接するように位置するので、孔２０に貯留する水分を大気に蒸発させることで、ブラシ台４の水分を除去することができる。ブラシ台４の孔２０に貯留された水分を効率的に蒸発させて除去するには、水分が蒸発しやすい状態を形成することが必要である。蒸発の面積を増加させるフィンを設けることも、水分の蒸発を促進する点からは効果的である。これについては、後述する。
【００４３】
またブラシ台４の孔２０貯留された水分を蒸発させやすくするには、孔４の大きさを大きくし、又は孔４の壁面２２の水との親和性を小さくすることが有効である。周知のように小さな水滴の内部圧力と水滴の直径との関係は式（３）で示される（中山泰喜、流体の力学、養賢堂、１９８２）。式（３）からわかるように、水滴の直径ｄが大きいほど水滴の内部圧力は小さくなり、水滴は蒸発しやすくなる。また孔を大きくすることで水の蒸発面積を大きくすることが可能となる。また表面張力が小さいほど水滴の内部圧力は小さくなり、水滴は蒸発しやすくなる。表面張力は、式（１）又は式（２）から分かるように壁面と水との接触角θに反比例するので、孔４の壁面２２の水との親和性を小さくすると接触角θが大きくなり表面張力が低下する。
【００４４】
【数３】
2007151771.tif 000005
【００４５】
なお、ブラシ台４の孔２０は、あくまでもブリッスル２が吸上げる水分をブラシ台４に移動させるものでなければならないので、ブリッスル２が吸上げる水分をブラシ台４に移動させることのできない孔の大きさ、水との親和性であってはならいことは言うまでもない。水の蒸発等を考えれば、ブラシ台４の孔２０の大きさは、ブリッスル２の孔１０の大きさと比較して略同一か、又は大きい方が好ましい。ブラシ台４は、ブリッスル２と同様の方法で形成することができる。ブリッスル２とブラシ台４とを別々に製造し、これを後で結合しても、またブリッスル２とブラシ台４とを一体的に形成してもよい。
【００４６】
柄７もブラシ台４と同様に、多数の孔３０を有する。柄７の孔３０は、ブラシ台４の孔２０と連通するとともに一端３１を大気と接する。これによりブリッスル２が吸上げる水分は、ブラシ台４の孔２０を経由して柄７の孔３０にも貯留される。これにより本実施形態のヘヤーブラシ１は、ブリッスル２、ブラシ台４、及び柄７にも水分を貯留することが可能となり、多くの水分を貯留することができる。また柄７は、手で握られるので、手の熱が柄７に伝わり、柄７の孔３０に貯留される水分が蒸発する。これにより、ブリッスル２を介して連続的に水分を吸水することが可能となる。この際、柄７の部分に凹凸を設けるなどして表面積を増加させれば水の蒸発をより効率的に行うことができる。また、孔３０の数を増加させることも水の蒸発に有効なことは言うまでもない。
【００４７】
さらに、柄７の孔３０に貯留された水分を蒸発させやすくするには、孔３０の大きさを大きくし、又孔３０の壁面３２の水との親和性を小さくすることが有効なことはブラシ台４のところに記載した通りである。効率的に水を蒸発させるには、柄７の孔３０の大きさは、ブラシ台４の孔２０の大きさと比較して略同一か大きいことが好ましい。また、ブリッスル２の孔１０、ブラシ台４の孔２０、柄７の孔３０の順番に孔の大きさを大きくするとより好ましい。
【００４８】
図５は、本発明の第二実施形態としてのヘヤーブラシ４０の側面図である。図１から図４に示す実施形態と同一の部材には、同一の符号を付して重複する説明を省略する。第二実施形態のヘヤーブラシ４０は、第一実施形態のヘヤーブラシ１と比較して、ブラシ台４のブラシ部３を支持する面５と対向する面６にフィン４５を備える点に特徴がある。フィン４５は、多数の薄い板状の部材からなる。フィン４５は、ブラシ台４と同様、毛管吸引可能な多数な孔（図示を省略）を有し、一端をブラシ台４の孔２０と連結し、他端を大気に接する。フィン４５の孔とブラシ台４の孔２０とを連通させることで、蒸発面積がさらに増加し、ブラシ台４の孔２０に貯留された水分を効率的に蒸発させることができる。
【００４９】
図６は、本発明の第三実施形態としてのヘヤーブラシ５０の断面図である。図１から図５に示す実施形態と同一の部材には、同一の符号を付して重複する説明を省略する。第三実施形態のヘヤーブラシ５０は、第一実施形態のヘヤーブラシ１と比較して、ブラシ台４のブラシ部３を支持する面５と対向する面６とを貫通する貫通孔５５を備える点に特徴がある。貫通孔５５は、ブラシ台４の孔２０（図示を省略）と連結する。貫通孔５５とブラシ台４の孔２０とを連通させることで、蒸発面積が増加し、ブラシ台４の孔２０に貯留された水分を効率的に蒸発させることができる。さらにヘヤーブラシ５０とヘヤードライヤとを併用すると、ヘヤードライヤの熱がブラシ台４全体に伝わりやすく、ブラシ台４の孔２０に蓄えられた水分を効率的に蒸発させることができる。これにより、ブリッスル２を介して頭髪に付着する水分を、より多く吸取ることが可能となる。
【００５０】
図７は本発明の第四実施形態としてのヘヤーブラシ６０の断面図である。図１から図６に示す実施形態と同一の部分には、同一の符号を付して重複する説明を省略する。第四実施形態に示すヘヤーブラシ６０は、第一実施形態に示すヘヤーブラシ１と大略的には類似の構成、形状を有するが、第一実施形態に示すヘヤーブラシ１と異なり、ブラシ台４のブラシ部３を支持する面５と対向する面６に凹部７０を有する点が異なる。この凹部７０とブラシ台４の孔２０（図示を省略）とは連通する。
【００５１】
ブラシ台４に凹部７０を設けることで、ヘヤーブラシ６０とヘヤードライヤとを併用すると、ヘヤードライヤの温風が凹部７０に当たり、ブラシ台４の孔２０に貯留される水分が蒸発しやくなる。これによりブリッスル２を介して連続的に水分を吸上げることが可能となり、濡れた頭髪を素早く乾燥させることができる。なお、ヘヤードライヤを併用しない場合であっても、ブラシ台４に凹部７０を設けることで、ブラシ台４の表面積が増加し、ブラシ台４の孔２０に貯留される水分が蒸発しやくなる。なお第四実施形態に示すヘヤーブラシ６０では、ブラシ台６０に凹部７０を設けているけれども、ブラシ台４のみならず柄７の部分にも凹部を設けてもよい。
【００５２】
図８は、本発明の第五実施形態としてのヘヤーブラシ８０の断面図である。図1から図７に示す実施形態と同一の部分には、同一の符号を付して重複する説明を省略する。第五実施形態に示すヘヤーブラシ８０は、第四実施形態に示すヘヤーブラシ６０と略同一の構成、形状を有するが、第四実施形態に示すヘヤーブラシ６０と異なり、ブラシ台４のブラシ部３を支持する面５と対向する面６の凹部７０に吸水性の部材９０が充填されている点が異なる。ブラシ台４の凹部７０とブラシ台４の孔２０とが連通することは第四実施形態に示すヘヤーブラシ６０と同じである。吸水性の部材９０としては、紙、ティッシュペーパー、ガーゼ、布などが例示される。
【００５３】
ブラシ台４の凹部７０に、吸水性の部材を充填することで、ブラシ部４の孔２０に貯留される水分を吸水性の部材９０に吸水させることが可能となる。ブラシ部４の凹部７０に充填される吸水性の部材９０は、凹部７０に着脱可能に充填されるので、水分を吸収した吸水性の部材９０を取り替えることで、ブリッスル２を介して連続的に水分を吸上げることが可能となり、濡れた頭髪を素早く乾燥させることができる。なお第五実施形態に示すヘヤーブラシ８０では、ブラシ台４に凹部７０を設け、凹部７０に吸水性の部材９０を充填しているけれども、ブラシ台４のみならず柄７の部分にも凹部を設け、ここにも吸水性の部材を充填してもよい。
【００５４】
図９は、本発明の第六実施形態としてのヘヤーブラシ付ドライヤ１００の一部を示す断面図である。図１から図８に示す実施形態と同一の部分には、同一の符号を付して重複する説明を省略する。第六実施形態に示すヘヤーブラシ付ドライヤ１００は、ヘヤーブラシ本体８と、ヘヤーブラシ本体８とヘヤードライヤ１１０とを連結するアタッチメント１２０を含み構成される。ヘヤーブラシ本体８は、第一実施形態などと同様、毛管吸引可能な孔１０（図示を省略）を有するブリッスル２からなるブラシ部３、ブラシ部３を支持するブラシ台４を備える。ブラシ台４は、第一実施形態と同様に、ブリッスル２の孔１０と連結する多数の孔２０（図示を省略）を有し、一端２１（図示を省略）を大気と接する。ブリッスル２の構造、ブラシ台４の孔２０などは、第一実施形態に示すヘヤーブラシ１と同一である。
【００５５】
さらにブラシ台４は、内部にガスが流通可能なガス流路１３０を有する。ブラシ台４に設けられた孔２０は、ガス流路１３０と連通する。ブラシ台４の内部に設けられたガス流路１３０は、ドライヤ１１０から供給される温風又は冷風を頭髪に導くものであり、温風又は冷風は、ガス流路１３０とブラシ台４のブラシ部３を支持する面５とを貫通する貫通孔１４０から噴出する。
【００５６】
このヘヤーブラシ付ドライヤ１００を用いて濡れた頭髪を乾燥させると、温風又は冷風がアタッチメント１２０の内部のガス流路１２１、ブラシ台４のガス流路１３０及びブラシ台４の貫通孔１４０を介して頭髪に導かれる。頭髪の表面は、ドライヤ１１０から供給される温風又は冷風により乾燥する、一方、頭皮付近の頭髪は、ブリッスル２の孔１０により水分が吸取られるので、頭髪は表面のみならず、頭皮方向からも乾燥し素早く濡れた頭髪を乾燥させることができる。ブリッスル２の孔１０が吸水した水分は、ブラシ台４の孔２０に運ばれる。ブラシ台４は内部に設けられたガス流路１３０を温風又は冷風が流通し、ブラシ台４の孔２０はガス流路１３０と連通するので、ブラシ台４の孔２０に貯留される水分は、温風又は冷風により簡単に蒸発させられる。
【００５７】
温風又は冷風は、ブラシ台４の孔２０の水分を蒸発させるため、湿度を高めるが風量に対する水分量は少なく、濡れた頭髪の乾燥に与える影響はほとんどない。このようにブラ台４から連続的に水分が蒸発するので、ブリッスル２を介して連続的に水分を吸上げることが可能となり、濡れた頭髪を素早く乾燥させることができる。
【００５８】
上記のように本発明のヘヤーブラシ１、４０、５０、６０、８０及びヘヤーブシ付ドライヤ１００は、毛管現象を利用することで、濡れた頭髪を素早く乾燥させることができる。またヘヤーブラシ１、４０、５０、６０、８０及びヘヤーブシ付ドライヤ１００は、濡れた頭髪から連続的に水分を吸取ることができる特徴を有する。なお本発明の実施形態では、頭髪の乾燥を例として説明したけれども、頭髪に限定されることなく、犬や猫など動物の濡れた毛を乾燥することに適用可能なことは言うまでもない。さらに本発明のヘヤーブラシ１、４０、５０、６０，８０及びヘヤーブシ付ドライヤ１００は、毛管吸引可能な孔をブリッスル２、ブラシ台４などに有するので、この微細な孔１０、２０が、頭髪の臭いを吸着する効果もある。
【図面の簡単な説明】
【００５９】
【図１】本発明の第一実施形態としてのヘヤーブラシ１の側面図である。
【図２】図１のヘヤーブラシ１の一部を拡大して示した部分断面図である。
【図３】図１のヘヤーブラシ１の一部を拡大して示した部分断面図である。
【図４】図１のヘヤーブラシの変形例であって、ブリッスル２の一部を拡大して示した部分断面図である。
【図５】本発明の第二実施形態としてのヘヤーブラシ４０の側面図である。
【図６】本発明の第三実施形態としてのヘヤーブラシ５０の断面図である。
【図７】本発明の第四実施形態としてのヘヤーブラシ６０の断面図である。
【図８】本発明の第五実施形態としてのヘヤーブラシ８０の断面図である。
【図９】本発明の第六実施形態としてのヘヤーブラシ付ドライヤ１００の一部を示す断面図である。
【符号の説明】
【００６０】
１      ヘヤーブラシ
２      ブリッスル
３      ブラシ部
４      ブラシ台
５      ブラシ部を支持する面
６      ブラシ部を支持する面に対向する面
７      柄
８      ヘヤーブラシ本体
１０    孔
１４    孔の壁面
２０    孔
２２    孔の壁面
３０    孔
３２    孔の壁面
４０    ヘヤーブラシ
４５    フィン
５０    ヘヤーブラシ
５５    貫通孔
６０    ヘヤーブラシ
７０    凹部
８０    ヘヤーブラシ
９０    吸水部材
１００  ヘヤーブラシ  
１１０  ドライヤ
１２０  アタッチメント
１３０  ガス流路
１４０  貫通孔
【図１】
2007151771.tif 000006
【図２】
2007151771.tif 000007
【図３】
2007151771.tif 000008
【図４】
2007151771.tif 000009
【図５】
2007151771.tif 000010
【図６】
2007151771.tif 000011
【図７】
2007151771.tif 000012
【図８】
2007151771.tif 000013
【図９】
2007151771.tif 000014
【手続補正書】
【提出日】平成18年5月11日(2006.5.11)
【手続補正１】
【補正対象書類名】特許請求の範囲
【補正対象項目名】全文
【補正方法】変更
【補正の内容】
【特許請求の範囲】
【請求項１】
水を毛管吸引可能な孔を有するブリッスルからなるブラシ部と、
該ブラシ部を支持するブラシ台と、
該ブラシ台と接続する柄と、
を備えることを特徴とするヘヤーブラシ。
【請求項２】
細い針状体を多数束ね形成した水を毛管吸引可能な孔を有するブリッスルからなるブラシ部と、
該ブラシ部を支持するブラシ台と、
該ブラシ台と接続する柄と、
を備えることを特徴とするヘヤーブラシ。
【請求項３】
前記ブラシ台は、水を毛管吸引可能な孔を有し、該ブラシ台の孔は、一端を前記ブリッスルの孔と連通し、他端を大気に接することを特徴とする請求項１又は２に記載のヘヤーブラシ。
【請求項４】
前記柄は、水を毛管吸引可能な孔を有し、該柄の孔は、一端を前記ブラシ台の孔と連通し、他端を大気に接することを特徴とする請求項３に記載のヘヤーブラシ。
【請求項５】
前記ブラシ台は、前記ブラシ部を支持する面と対向する面の一部に凹部を有し、前記ブラシ台の孔は、該凹部と連通することを特徴とする請求項３又は４に記載のヘヤーブラシ。
【請求項６】
前記ブラシ台は、水を毛管吸引可能な孔を有するフィンを備え、該フィンの孔は、一端を前記ブラシ台の孔と連結し、他方を大気に接することを特徴とする請求項３から５のいずれか１に記載のヘヤーブラシ。
【請求項７】
前記ブラシ台は、前記ブラシ部を支持する面と対向する面とを貫通する貫通孔を備え、前記ブラシ台の孔は、該貫通孔と連通することを特徴とする請求項３から６のいずれか１に記載のヘヤーブラシ。
【請求項８】
前記ブラシ台は、前記ブラシ部を支持する面と対向する面の一部に凹部を有し、前記ブラシ台の孔は、該凹部と連通し、該凹部には着脱可能な吸水性を有する部材が嵌入されていることを特徴とする請求項３から７のいずれか１に記載のヘヤーブラシ。
【請求項９】
前記柄は、前記柄の一部に凹部を有し、前記柄の孔は、該凹部と連通し、該凹部には着脱可能な吸水性を有する部材が嵌入されていることを特徴とする請求項４から８のいずれか１に記載のヘヤーブラシ。
【請求項１０】
水を毛管吸引可能な孔を有するブリッスルからなるブラシ部と、
該ブリッスルの孔と連通する水を毛管吸引可能な孔を有する該ブラシ部を支持するブラシ台と、
少なくとも温風を送風可能なヘヤードライヤと、
該ヘヤードライヤと該ブラシ台とを接続するアタッチメントと、
を含み、
該ブラシ台は、さらに内部に空気を流通可能な流路と、該ブラシ部を支持する面と該流路を貫通する貫通孔と、を備え、該ブラシ台の孔は、該流路及び／又は該貫通孔と連通することを特徴とするヘヤーブラシ付ドライヤ。
【手続補正２】
【補正対象書類名】明細書
【補正対象項目名】０００８
【補正方法】変更
【補正の内容】
【０００８】
また本発明は、前記ブラシ台は、水を毛管吸引可能な孔を有し、該ブラシ台の孔は、一端を前記ブリッスルの孔と連通し、他端を大気に接することを特徴とする。
【手続補正３】
【補正対象書類名】明細書
【補正対象項目名】０００９
【補正方法】変更
【補正の内容】
【０００９】
また本発明は、前記柄は、水を毛管吸引可能な孔を有し、該柄の孔は、一端を前記ブラシ台の孔と連通し、他端を大気に接することを特徴とする。
【手続補正４】
【補正対象書類名】明細書
【補正対象項目名】００１０
【補正方法】削除
【補正の内容】
【手続補正５】
【補正対象書類名】明細書
【補正対象項目名】００１１
【補正方法】削除
【補正の内容】
【手続補正６】
【補正対象書類名】明細書
【補正対象項目名】００１２
【補正方法】削除
【補正の内容】
【手続補正７】
【補正対象書類名】明細書
【補正対象項目名】００１３
【補正方法】削除
【補正の内容】
【手続補正８】
【補正対象書類名】明細書
【補正対象項目名】００１４
【補正方法】変更
【補正の内容】
【００１４】
また本発明は、前記ブラシ台は、前記ブラシ部を支持する面と対向する面の一部に凹部を有し、前記ブラシ台の孔は、該凹部と連通することを特徴とする。
【手続補正９】
【補正対象書類名】明細書
【補正対象項目名】００１５
【補正方法】変更
【補正の内容】
【００１５】
また本発明は、前記ブラシ台は、水を毛管吸引可能な孔を有するフィンを備え、該フィンの孔は、一端を前記ブラシ台の孔と連結し、他方を大気に接することを特徴とする。
【手続補正１０】
【補正対象書類名】明細書
【補正対象項目名】００１６
【補正方法】変更
【補正の内容】
【００１６】
また本発明は、前記ブラシ台は、前記ブラシ部を支持する面と対向する面とを貫通する貫通孔を備え、前記ブラシ台の孔は、該貫通孔と連通することを特徴とする。
【手続補正１１】
【補正対象書類名】明細書
【補正対象項目名】００１７
【補正方法】変更
【補正の内容】
【００１７】
また本発明は、前記ブラシ台は、前記ブラシ部を支持する面と対向する面の一部に凹部を有し、前記ブラシ台の孔は、該凹部と連通し、該凹部には着脱可能な吸水性を有する部材が嵌入されていることを特徴とする。
【手続補正１２】
【補正対象書類名】明細書
【補正対象項目名】００１８
【補正方法】変更
【補正の内容】
【００１８】
また本発明は、前記柄は、前記柄の一部に凹部を有し、前記柄の孔は、該凹部と連通し、該凹部には着脱可能な吸水性を有する部材が嵌入されていることを特徴とする。
【手続補正１３】
【補正対象書類名】明細書
【補正対象項目名】００２４
【補正方法】削除
【補正の内容】
【手続補正１４】
【補正対象書類名】明細書
【補正対象項目名】００２５
【補正方法】削除
【補正の内容】
【手続補正１５】
【補正対象書類名】明細書
【補正対象項目名】００２６
【補正方法】削除
【補正の内容】
【手続補正１６】
【補正対象書類名】明細書
【補正対象項目名】００２７
【補正方法】削除
【補正の内容】
【手続補正１７】
【補正対象書類名】明細書
【補正対象項目名】００３８
【補正方法】変更
【補正の内容】
【００３８】
【数２】
2007151771.tif 000015
【手続補正１８】
【補正対象書類名】明細書
【補正対象項目名】００４０
【補正方法】変更
【補正の内容】
【００４０】
以上のような孔１０を有するブリッスル２は、合成樹脂を常法により発泡させ形成することができる。また活性炭、シリカゲルなど多孔質材料を合成樹脂に混練して形成することもできる。さらに図４に示すように微細な毛など針形状の部材１３を束ね、ブリッスル２を形成することでも吸水可能なブリッスル２を形成することができる。ブリッスル２の孔１０を形成する壁面１４と水との接触角θは、式（１）からもわかるように水分を吸上げる高さを決定する大きな因子であり、接触角θが小さいほど、水の吸上げ高さは高くなる。この接触角θは、水との親和性、濡れ性が高いほど小さいので、ブリッスル２を濡れ性のよい材料で形成するか、表面（孔の壁面１４）に親水性材料をコーティングすることが好ましい。酸化チタンは、超親水性を示すので、これを合成樹脂に混合するか、表面にコーティングしてもよい。なお、孔１０を形成することでブリッスル２に必要な強度が得られないときは、必要に応じて芯金を利用してもよい。
【手続補正１９】
【補正対象書類名】明細書
【補正対象項目名】００４３
【補正方法】変更
【補正の内容】
【００４３】
またブラシ台４の孔２０に貯留された水分を蒸発させやすくするには、孔２０の大きさを大きくすることが有効である。孔２０を大きくすることで水の蒸発面積を大きくすることが可能となる。
【手続補正２０】
【補正対象書類名】明細書
【補正対象項目名】００４４
【補正方法】削除
【補正の内容】
【手続補正２１】
【補正対象書類名】明細書
【補正対象項目名】００４７
【補正方法】変更
【補正の内容】
【００４７】
さらに、柄７の孔３０に貯留された水分を蒸発させやすくするには、孔３０の大きさを大きくすることが有効なことはブラシ台４のところに記載した通りである。効率的に水を蒸発させるには、柄７の孔３０の大きさは、ブラシ台４の孔２０の大きさと比較して略同一か大きいことが好ましい。また、ブリッスル２の孔１０、ブラシ台４の孔２０、柄７の孔３０の順番に孔の大きさを大きくするとより好ましい。
【手続補正２２】
【補正対象書類名】明細書
【補正対象項目名】００５８
【補正方法】変更
【補正の内容】
【００５８】
上記のように本発明のヘヤーブラシ１、４０、５０、６０、８０及びヘヤーブラシ付ドライヤ１００は、毛管現象を利用することで、濡れた頭髪を素早く乾燥させることができる。またヘヤーブラシ１、４０、５０、６０、８０及びヘヤーブラシ付ドライヤ１００は、濡れた頭髪から連続的に水分を吸取ることができる特徴を有する。なお本発明の実施形態では、頭髪の乾燥を例として説明したけれども、頭髪に限定されることなく、犬や猫など動物の濡れた毛を乾燥することに適用可能なことは言うまでもない。さらに本発明のヘヤーブラシ１、４０、５０、６０，８０及びヘヤーブラシ付ドライヤ１００は、毛管吸引可能な孔をブリッスル２、ブラシ台４などに有するので、この微細な孔１０、２０が、頭髪の臭いを吸着する効果もある。
【手続補正２３】
【補正対象書類名】図面
【補正対象項目名】図３
【補正方法】変更
【補正の内容】
【図３】
2007151771.tif 000016